(57)【特許請求の範囲】
【請求項１】
導電路を包囲するフェライトコアと、
第１ケース構成体と第２ケース構成体を合体して構成され、前記フェライトコアを収容するフィルタケースと、
前記第１ケース構成体の内面に形成された第１ロック部と、
前記第２ケース構成体の内面に形成され、前記第１ロック部と係止することで前記第１ケース構成体と前記第２ケース構成体を合体状態にロックする第２ロック部とを備え、
前記第１ケース構成体及び前記第２ケース構成体の内周面には、径方向内側へ突出した形態であり、前記導電路の軸線方向において前記フェライトコアを位置決めする位置決め部が形成され、
前記位置決め部の一部が前記第１ロック部及び前記第２ロック部となっていることを特徴とするノイズフィルタ。
【請求項２】
ワイヤーハーネスをコルゲートチューブで包囲した形態の導電路に適用されるノイズフィルタであって、
前記第１ケース構成体及び第２ケース構成体の内周面には、径方向内側へ突出した形態であり、前記コルゲートチューブの外周に形成されている複数の溝部の一部に選択的に係止することで、前記導電路の軸線方向において前記コルゲートチューブを移動規制する移動規制部が形成され、
前記移動規制部の一部が前記第１ロック部及び前記第２ロック部となっていることを特徴とする請求項１記載のノイズフィルタ。
【発明の詳細な説明】
【技術分野】
【０００１】
本発明は、ノイズフィルタに関するものである。
【背景技術】
【０００２】
特許文献１には、導電路を包囲するフェライトコアと、フェライトコアを収容するフィルタケースとを備えたノイズフィルタが開示されている。フィルタケースは、一対のケース構成体を合体させて構成されており、両ケース構成体に形成されロック部同士を係止させることにより、両ケース構成体を合体状態にロックするようになっている。このロック部は、一般ユーザーにとって容易にロック解除できないように、一方のケース構成体に形成した突出片を、他方のケース構成体に形成した凹部に差し込む構造になっている。
【先行技術文献】
【特許文献】
【０００３】
【特許文献１】特開２０１４−１１０３４３号公報
【発明の概要】
【発明が解決しようとする課題】
【０００４】
しかしながら、上記のノイズフィルタのロック部は、ケース構成体の外面に形成されている。そのため、特殊な工具を用いれば、一般ユーザーでもロック部のロックを解除し、ノイズフィルタを分解することが可能である。
【０００５】
本発明は上記のような事情に基づいて完成されたものであって、分解不能なノイズフィルタを提供することを目的とする。
【課題を解決するための手段】
【０００６】
本発明は、
導電路を包囲するフェライトコアと、
第１ケース構成体と第２ケース構成体を合体して構成され、前記フェライトコアを収容するフィルタケースと、
前記第１ケース構成体の内面に形成された第１ロック部と、
前記第２ケース構成体の内面に形成され、前記第１ロック部と係止することで前記第１ケース構成体と前記第２ケース構成体を合体状態にロックする第２ロック部とを備え、
前記第１ケース構成体及び前記第２ケース構成体の内周面には、径方向内側へ突出した形態であり、前記導電路の軸線方向において前記フェライトコアを位置決めする位置決め部が形成され、
前記位置決め部の一部が前記第１ロック部及び前記第２ロック部となっているところに特徴を有する。
【発明の効果】
【０００７】
この構成によれば、第１ロック部と第２ロック部がケース構成体の内面に形成されているので、両ケース構成体を合体状態にロックすると、フィルタケースの外部から両ロック部のロック状態を解除することはできない。したがって、本発明のノイズフィルタは分解不能である。また、位置決め部がロック部を兼ねているので、位置決め部とは別にロック部を形成する場合に比べると、ケース構成体の形状を簡素化することができる。
【図面の簡単な説明】
【０００８】
【図１】実施例１のノイズフィルタを導電路の軸線と直角に切断してあらわす断面図
【図２】図１のＸ−Ｘ線断面図
【発明を実施するための形態】
【００１０】
本発明は、ワイヤーハーネスをコルゲートチューブで包囲した形態の導電路に適用されるノイズフィルタであって、前記第１ケース構成体及び第２ケース構成体の内周面には、径方向内側へ突出した形態であり、前記コルゲートチューブの外周に形成されている複数の溝部の一部に選択的に係止することで、前記導電路の軸線方向において前記コルゲートチューブを移動規制する移動規制部が形成され、前記移動規制部の一部が前記第１ロック部及び前記第２ロック部となっていてもよい。
この構成によれば、移動規制部がロック部を兼ねているので、移動規制部とは別にロック部を形成する場合に比べると、ケース構成体の形状を簡素化することができる。
【００１１】
＜実施例１＞
以下、本発明を具体化した実施例１を図１〜図２を参照して説明する。本実施例のノイズフィルタＦは、円環形をなすフェライトコア１０と、フェライトコア１０を収容するフィルタケース２０とを備えている。フェライトコア１０は、半円筒形をなす一対のコア構成体１１を合体して構成される。ノイズフィルタＦは、複数本の電線（図示省略）を束ねたワイヤーハーネス５１をコルゲートチューブ５２で包囲した形態の導電路５０に適用され、ワイヤーハーネス５１を構成する電線のノイズをフェライトコア１０によって除去する。フェライトコア１０の内径は、コルゲートチューブ５２の最大外径より少し大きい寸法に設定されている。
【００１２】
フィルタケース２０は、合成樹脂製の第１ケース構成体２１と合成樹脂製の第２ケース構成体２２との２部品から構成され、両ケース構成体２１，２２を合体させることにより、全体として導電路５０の軸線と同心状の円筒形をなしている。フィルタケース２０の内部空間のうち軸線方向における両端部を除いた大部分の領域は、フェライトコア１０を収容するための収容空間２３となっている。また、フィルタケース２０の軸線方向における両端部には、円環形をなす外壁部２４が形成されている。外壁部２４の中心孔２５の内径は、導電路５０の最大外径寸法より少し大きい寸法に設定されている。
【００１３】
第１ケース構成体２１は、半円筒形をなす第１周壁部２６と、半円弧形をなす一対の第１端壁部２７とを備えている。一対の第１端壁部２７は、第１周壁部２６の軸線方向両端縁から径方向内向きに突出し、外壁部２４を構成する。第１ケース構成体２１の内部には、第１周壁部２６の内周面から径方向内側へ壁状に突出する一対の第１位置決め部２８（請求項に記載の移動規制部）が形成されている。一対の第１位置決め部２８は、一対の第１端壁部２７の間の領域に配され、第１端壁部２７の近傍に配置されている。
【００１４】
この一対の第１位置決め部２８と第１周壁部２６とによって区画された半円形の空間は、収容空間２３を構成する第１収容凹部２９となっている。第１収容凹部２９にコア構成体１１を収容すると、一対の第１位置決め部２８が、コア構成体１１の軸線方向における両端面に対し当接又は接近して対向する位置関係となる。これにより、一対の第１位置決め部２８は、コア構成体１１がフィルタケース２０に対して軸線方向に相対移動することを規制する。
【００１５】
一対の第１位置決め部２８は、全体として略半円弧形をなしており、その内周縁は、導電路５０と同心状の半円形をなしている。第１位置決め部２８の内周縁の曲率半径は、コルゲートチューブ５２の最外周の半径よりも小さく、コルゲートチューブ５２の外周に形成されている複数の溝部５３の外周の半径よりも僅かに大きい寸法に設定されている。また、第１位置決め部２８の軸線方向の厚さ寸法は、溝部５３の最小溝幅よりも少し小さい寸法に設定されている。
【００１６】
第２ケース構成体２２は、半円筒形をなす第２周壁部３０と、半円弧形をなす一対の第２端壁部３１とを備えている。一対の第２端壁部３１は、第２周壁部３０の軸線方向両端縁から径方向内向きに突出し、外壁部２４を構成する。第２ケース構成体２２の内部には、第２周壁部３０の内周面から径方向内側へ壁状に突出する一対の第２位置決め部３２（請求項に記載の移動規制部）が形成されている。一対の第２位置決め部３２は、一対の第２端壁部３２の間の領域に配され、第２端壁部３２の近傍に配置されている。
【００１７】
この一対の第２位置決め部３２と第２周壁部３０とによって区画された半円形の空間は、収容空間２３を構成する第２収容凹部３３となっている。第２収容凹部３３にコア構成体１１を収容すると、一対の第２位置決め部３２が、コア構成体１１の軸線方向における両端面に対し当接又は接近して対向する位置関係となる。これにより、一対の第２位置決め部３２は、コア構成体１１がフィルタケース２０に対して軸線方向に相対移動することを規制する。
【００１８】
一対の第２位置決め部３２は、全体として略半円弧形をなしており、その内周縁は、導電路５０と同心状の半円形をなしている。第２位置決め部３２の内周縁の曲率半径は、第１位置決め部２８の内周縁の曲率半径と同じ寸法である。また、第２位置決め部３２の軸線方向の厚さ寸法は、溝部５３の最小溝幅よりも少し小さい寸法に設定されている。
【００１９】
両ケース構成体２１，２２を合体すると、第１周壁部２６と第２周壁部３０の周方向における両端縁同士が当接するとともに、第１端壁部２７と第２端壁部３１の周方向における両端縁同士が当接する。これにより、フィルタケース２０の内部空間は、外部からの異物が侵入できない保護空間３４となる。この保護空間３４内には、一対の第１位置決め部２８と一対の第２位置決め部３２が収容される。また、収容空間２３は保護空間３４の一部を構成する。
【００２０】
一対の第１位置決め部２８には、夫々、その周方向における両端縁から第２位置決め部３２に向かって片持ち状に突出した形態の一対の第１ロック部３５が形成されている。第１ロック部３５の突出方向は、両ケース構成体２１，２２が合体する方向とほぼ平行な方向である。軸線方向における第１ロック部３５の形成領域は、第１位置決め部２８の全厚さ範囲と合致し、第１ロック部３５の軸線方向の厚さ寸法は、第１位置決め部２８と同じ寸法である。したがって、第１ロック部３５は、第１位置決め部２８と同じく、コア構成体１１を軸線方向に位置決めする機能を有する。
【００２１】
第１ロック部３５の突出端部には、径方向外方（つまり、第２周壁部３０の内周面に向かう方向）に突出するロック突起３６が形成されている。ロック突起３６には、第１ロック部３５の突出方向と直角な第１係止面３７と、第１ロック部３５の突出方向に対して傾斜した第１誘導面３８が形成されている。また、第１ロック部３５は、ロック突起３６の突出方向とは反対方向（径方向内方）へ弾性撓みし得るようになっている。この第１ロック部３５も、第１位置決め部２８と同様、保護空間３４内に収容されている。
【００２２】
一対の第２位置決め部３２には、夫々、その周方向における両端縁の一部を切欠した形態の一対の切欠部３９が形成されている。径方向における切欠部３９の形成領域は、外周側の範囲に限定されている。したがって、両ケース構成体２１，２２を合体した状態では、第２位置決め部３２の内周縁部は第１位置決め部２８の内周縁部と連なり、両位置決め部２８，３２の内周縁部が全周に亘って連続する。
【００２３】
第２ケース構成体２２には、第２周壁部３０の内周面から各切欠部３９内に向かって径方向内側に突出する二対の第２ロック部４０が形成されている。軸線方向における第２ロック部４０の形成領域は、第２位置決め部３２の全厚さ範囲と合致する。つまり、第２ロック部４０の軸線方向の厚さ寸法は、第２位置決め部３２と同じ寸法である。したがって、第２ロック部４０は、第２位置決め部３２を構成し、コア構成体１１を軸線方向に位置決めする機能を有する。第２ロック部４０には、両ケース構成体２１，２２の合体方向と直角な第２係止面４１と、両ケース構成体２１，２２の合体方向に対して傾斜した第２誘導面４２が形成されている。
【００２４】
次に、本実施例のノイズフィルタＦの組付けと導電路５０への取り付けの手順を説明する。まず、第１収容凹部２９と第２収容凹部３３に、夫々、コア構成体１１を収容する。次に、一方のコア構成体１１に導電路５０を取り付ける。そして、両ケース構成体２１，２２を合体させると同時に、両コア構成体１１を合体させる。合体させる過程では、第１ロック部３５が切欠部３９内に進入し、第１誘導面３８が第２誘導面４２に当接する。この後、合体動作を進めると、両誘導面３８，４２が摺接するとともに第１ロック部３５が径方向内側へ弾性撓みする。
【００２５】
そして、両ケース構成体２１，２２が正規の合体状態に至ると、ロック突起３６が第２ロック部４０を通過するので第１ロック部３５が弾性復帰し、第１係止面３７と第２係止面４１が合体方向と平行に当接する。この両係止面３７，４１の係止作用により、両ケース構成体２１，２２が離脱規制された状態（合体状態）にロックされる。尚、軸線方向に関しては、周壁部２６，３０や端壁部２７，３１に形成した係止部（図示省略）の係止作用により、両ケース構成体２１，２２の相対移動が規制されている。
【００２６】
第１ロック部３５と第２ロック部４０の係止は、フィルタケース２０の保護空間３４の内部で行われる。この保護空間３４は、フィルタケース２０の外部から遮断されているので、両ロック部３５，４０の係止箇所に対して工具等を差し込んだり、引っ掛けたりすることはできない。両ロック部３５，４０の係止を外すためには、周壁部２６，３０や端壁部２７，３１を破壊する必要がある。また、第１位置決め部２８と第２位置決め部３２の内周縁部が、コルゲートチューブ５２の外周の複数の溝部５３のうちいずれかの溝部５３内に嵌合する。この嵌合により、フィルタケース２０及びフェライトコア１０に対するコルゲートチューブ５２の軸線方向への相対移動が規制される。
【００２７】
上述のように、本実施例のノイズフィルタＦは、導電路５０を包囲するフェライトコア１０と、第１ケース構成体２１と第２ケース構成体２２を合体して構成され、フェライトコア１０を収容するフィルタケース２０とを備えている。第１ケース構成体２１の内面には第１ロック部３５が形成され、第２ケース構成体２２の内面には、第１ロック部３５と係止することで両ケース構成体２１，２２を合体状態にロックする第２ロック部４０が形成されている。この構成によれば、第１ロック部３５と第２ロック部４０がケース構成体２１，２２の内面に形成されているので、両ケース構成体２１，２２を合体状態にロックすると、フィルタケース２０の外部から両ロック部３５，４０のロック状態を解除することはできない。したがって、ノイズフィルタＦを破壊せずに分解することはできない。
【００２８】
また、第１ケース構成体２１及び第２ケース構成体２２の内周面には、径方向内側へ突出した形態であり、導電路５０の軸線方向において前記フェライトコア１０を位置決めする第１位置決め部２８及び第２位置決め部３２が形成されている。そして、第１位置決め部２８の一部は第１ロック部３５として機能し、第２位置決め部３２の一部は第２ロック部４０として機能する。この構成によれば、位置決め部２８，３２がロック部３５，４０を兼ねているので、位置決め部２８，３２とは別にロック部３５，４０を形成する場合に比べると、ケース構成体２１，２２の形状が簡素化されている。
【００２９】
また、導電路５０はワイヤーハーネス５１をコルゲートチューブ５２で包囲した形態となっている。そして、第１ケース構成体２１と第２ケース構成体２２の内周面には、夫々、径方向内側へ突出した形態であり、コルゲートチューブ５２の外周に形成されている複数の溝部５３の一部に選択的に係止可能することで、導電路５０の軸線方向においてコルゲートチューブ５２を移動規制する第１位置決め部２８と第２位置決め部３２が形成されている。さらに、第１位置決め部２８の一部が第１ロック部３５となっており、第２位置決め部３２の一部が第２ロック部４０となっている。この構成によれば、コルゲートチューブ５２を移動規制する手段（位置決め部２８，３２）がロック部３５，４０を兼ねているので、ケース構成体２１，２２の形状が簡素化されている。
【００３０】
＜他の実施例＞
本発明は上記記述及び図面によって説明した実施例に限定されるものではなく、例えば次のような実施例も本発明の技術的範囲に含まれる。
（１）上記実施例では、フェライトコアが一対のコア構成体を合体させて構成されているが、フェライトコアは円環形の単一部材であってもよい。
（２）上記実施例では、フィルタケースを構成する第１ケース構成体と第２ケース構成体が別体の部品であるが、第１ケース構成体と第２ケース構成体をヒンジで連結することにより、フィルタケースを単一部品としてもよい。
（３）上記実施例では、導電路が、複数本の電線をコルゲートチューブに挿通して構成されているが、導電路は、コルゲートチューブで包囲されない１本の電線、コルゲートチューブで包囲されていない複数本の電線（ワイヤーハーネス）等であってもよい。また、コルゲートチューブで包囲しない場合、１本又は複数本の電線の外周にソフトテープを巻き付けてもよい。
（４）上記実施例では、第１ケース構成体と第２ケース構成体を異なる形状としたが、第１ケース構成体と第２ケース構成体を同一形状としてもよい。この場合、第１ケース構成体と第２ケース構成体に、夫々、ロックアームとロック突起を１つずつ形成し、第１ケース構成体のロックアームと第２ケース構成体のロック突起を係止させ、第１ケース構成体のロック突起と第２ケース構成体のロックアームとを係止させればよい。
（５）上記実施例では、コルゲートチューブを軸線方向に移動規制するための移動規制部の一部をロック部とした機能させたが、ロック部は、移動規制部とは別個に形成してもよい。
（６）上記実施例では、位置決め部が移動規制部の機能を兼ね備えているが、位置決め部と移動規制部とを別々に形成してもよい。
（７）上記実施例では、ロック部がケース構成体の内周面から突出した形態であるが、ロック部は、ケース構成体の端壁部から突出させてもよい。
＜参考例＞
（１）上記実施例では、フェライトコアを軸線方向に位置決めするための位置決め部の一部をロック部とした機能させたが、本発明の参考例として、ロック部を位置決め部とは別個に形成する形態も考えられる。
【符号の説明】
【００３１】
Ｆ…ノイズフィルタ
１０…フェライトコア
２０…フィルタケース
２１…第１ケース構成体
２２…第２ケース構成体
２８…第１位置決め部（移動規制部）
３２…第２位置決め部（移動規制部）
３５…第１ロック部
４０…第２ロック部
５０…導電路
５１…ワイヤーハーネス
５２…コルゲートチューブ
５３…溝部
【図１】
0006319662.tif 000002
【図２】
0006319662.tif 000003